(57)【特許請求の範囲】
【請求項１】
テーブルに組み込まれる本体と、
前記本体の内部に設けられた、加熱装置と、前記加熱装置を駆動させる駆動装置と、前記加熱装置と前記駆動装置を冷却する冷却ファンと、
前記本体の外郭に設けられ、冷却風を取り入れる吸気口と、
前記吸気口の外部に設けられ、下方から吸気するための複数の小孔を有する着脱自在の防塵フィルタと、
を備え、
前記防塵フィルタは、小孔を配した吸気面から本体側に向かって複数のボス形状の支持体Ａが、前記吸気面に分散して設けられ、かつ前記吸気面が前記本体の最も底面に配置されることで、前記支持体Ａが前記外郭に当接することによって外部から加えられる荷重に対する前記吸気面の変形を抑制する、
加熱調理器。
【請求項２】
前記防塵フィルタは小孔を有するメッシュ部と、前記メッシュ部を保持する保持部とに分離可能とした請求項１に記載の加熱調理器。
【請求項３】
前記防塵フィルタは複数の小孔を配した第１の吸気面と、前記第１の吸気面と異なる方向に複数の小孔を配した第２の吸気面を備え、前記第２の吸気面の開口面積の総和が前記第１の吸気面の開口面積の総和以上とした請求項１または２に記載の加熱調理器。
【発明の詳細な説明】
【技術分野】
【０００１】
本発明は加熱調理器の防塵フィルタに関するものである。
【背景技術】
【０００２】
従来、この種の加熱調理器は一般的に加熱装置や、加熱装置駆動用の制御部品などを冷却する必要があり、そのための冷却ファンが設けられている。埃の多い環境下で使用する場合、冷却ファンにより本体内部に取り入れられる冷却風と併せて埃も吸引してしまい、制御部品に付着し誤動作やトラッキングなどを発生させる恐れがある。そのため、吸気部に防塵フィルタを配置することで課題を解決している（例えば、特許文献１参照）。また、防塵フィルタを容易に着脱可能とすることで、埃の付着した防塵フィルタの清掃がしやすくなり、メンテナンス性に優れたものとしている。
【０００３】
図９は、特許文献１に記載された従来の加熱調理器の要部断面図を示すものである。図９に示すように、本体１０１内に加熱装置１０２と、加熱装置を駆動させる駆動装置１０３と、加熱装置１０２と駆動装置１０３を冷却する冷却ファン１０４と、本体の外郭１０５に冷却風を取り入れる吸気口１０６と、吸気口１０６の外部に複数の小孔１０７を有する着脱自在の防塵フィルタ１０８から構成されている。
【特許文献１】特開平８−３１５９７４号公報
【発明の開示】
【発明が解決しようとする課題】
【０００４】
しかしながら、前記従来の構成では防塵フィルタ１０８は、設置工事時や使用時（とくに客席設置など、不特定の使用者が触る恐れのある場合）に落下や衝突によって衝撃を受ける恐れがあり、その荷重によって変形し、さらに破損してしまう恐れがあるという課題を有していた。
【０００５】
本発明は、前記従来の課題を解決するもので、設置工事時や使用時に落下・衝突といった衝撃を受けても、容易に変形や損傷するのを防止した防塵フィルタを備えることで、防塵性能を損なわず耐久性に優れた加熱調理器を提供することを目的とする。
【課題を解決するための手段】
【０００６】
前記従来の課題を解決するために、本発明の加熱調理器は、本体内に加熱装置と、前記加熱装置を駆動させる駆動装置と、前記加熱装置と駆動装置を冷却する冷却ファンと、本体の外郭に冷却風を取り入れる吸気口と、前記吸気口の外部に複数の小孔を有する着脱自在の防塵フィルタを備え、前記防塵フィルタは小孔を配した吸気面の本体側に支持体Ａを設けた加熱調理器としたものである。
【０００７】
これによって、設置工事時や使用時（とくに客席設置など、不特定の使用者が触る恐れのある場合）に落下や衝突によって衝撃を受けても、支持体Ａが本体の外郭と当接することで、フィルタの変形を抑制し、損傷を防ぐことができる。
【発明の効果】
【０００８】
本発明の加熱調理器は、設置工事時や使用時に落下・衝突といった衝撃を受けても、容易に変形や損傷するのを防止した防塵フィルタを備えることで、防塵作用を持続することができ、加熱調理器として耐久性に優れたものにすることができる。
【発明を実施するための最良の形態】
【０００９】
第１の発明はテーブルに組み込まれる本体と、本体内部に設けられた、加熱装置と、前記加熱装置を駆動させる駆動装置と、前記加熱装置と駆動装置を冷却する冷却ファンと、本体の外郭に設けられ、冷却風を取り入れる吸気口と、前記吸気口の外部に設けられ、下方から吸気するための複数の小孔を有する着脱自在の防塵フィルタを備え、前記防塵フィ
ルタは小孔を配した吸気面の本体側に複数のボス形状の支持体Ａが、前記吸気面に分散して、かつ前記吸気面が前記本体の最も底面に配置されることで、前記支持体Ａが前記外郭に当接することによって外部から加えられる荷重に対する前記吸気面の変形を抑制する加熱調理器とすることにより、設置工事時や使用時に落下や衝突によって衝撃を受けても、支持体Ａが外郭と当接することで、フィルタの変形を抑制することとなりフィルタの損傷を防ぐことができる。
【００１１】
第２の発明は、特に、第１の発明の防塵フィルタは小孔を有するメッシュ部と、前記メッシュ部を保持する保持部とに分離可能とする加熱調理器とすることにより、メッシュ部のみ清掃することや、メッシュ部のみを使い捨てとすることが可能となり、清掃・メンテナンスが容易な加熱調理器とすることができる。
【００１２】
第３の発明は、特に、第１または第２の発明の防塵フィルタに複数の第１の小孔を配した第１の吸気面と、前記第１の吸気面と異なる方向に複数の小孔を配した第２の吸気面を備え、前記第２の吸気面の開口面積の総和が前記第１の吸気面の開口面積の総和以上とすることで、第１の吸気面がフィルムなどの吸い付きによって遮蔽されても、第２の吸気面から同等以上の冷却風を吸気することで、第１の吸気面の遮蔽時であっても冷却性能を確保することができるので、耐久性に優れた加熱調理器とすることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における加熱調理器の要部断面図、図２は、本発明の第１の実施の形態における加熱調理器の防塵フィルタの斜視図を示すものである。
【００１５】
ここで加熱調理器は、誘導加熱調理器を例示する。
【００１６】
図１において、加熱調理器１は本体内部に加熱装置８と、加熱装置を駆動させる駆動装置９とを内蔵し、本体内部に内蔵された冷却ファン７によって、本体の外郭４の底面に空けられた吸気口５から外気を取り入れ、加熱装置８と駆動装置９を空冷している。
【００１７】
吸気口５の外方には防塵フィルタ２が取り付けられている。図２に示すように、防塵フィルタ２には複数の小孔６が設けられ、小孔６は、本体の吸気口５より穴径を小さくし、本体内部に塵埃が吸引されるのを防止している。
【００１８】
防塵フィルタ２の小孔６を配した吸気面１０には、加熱調理器１の本体側に向かって支持体Ａ３（例えば、ボス形状）を設けた構成としている。
【００１９】
以上のように構成された加熱調理器について、以下その動作、作用を説明する。
【００２０】
まず、加熱調理器１が飲食店の客席に設置される場合など、着席した使用者の足が不意に防塵フィルタ２に衝突する場合がある。また、設置工事の際、本体をテーブル天面などに組み込む前に仮置きとした際、床面と防塵フィルタ２が接触し、防塵フィルタ２が加熱
調理器１本体の重量を負担する場合がある。そのような場合、小孔６が設けられた吸気面１０は加えられた荷重によって変形をし、発生する応力で破損する恐れがあるが、支持体Ａ３を本体の外郭４に当接させることによって外部からの荷重に対する吸気面１０の変形を抑制し、破損を防止することができる。防塵フィルタ２の破損を防止することで、防塵性能を持続させ、耐久性に優れた加熱調理器を提供することができる。
【００２１】
以上のように、本実施の形態においては加熱調理器の吸気口に取り付けた防塵フィルタに支持体を設け、支持体を本体外郭と当接させ、外部からの荷重に対し防塵フィルタの変形を抑制し破損を防止することとなり、防塵性能を持続させ、耐久性に優れた加熱調理器を提供することができる。
【００２２】
（実施の形態２）
図３は、本発明の第２の実施の形態における加熱調理器の要部断面図、図４は、本発明の第２の実施の形態における加熱調理器の防塵フィルタの斜視図である。
【００２３】
なお、本実施の形態２の基本構成は実施の形態１と同様であるので、同様な部分の説明は省略し、相違点を中心に説明する。また、実施の形態１と同一要素には同じ符号を付してその説明を省略する。
【００２４】
図３、図４に示すように、本実施の形態においては、防塵フィルタ２は外方に向かって支持体Ｂ１１を備え、支持体Ｂ１１は前記防塵フィルタ２の吸気面１０より高くしている。
【００２５】
以上のように構成された加熱調理器について、以下その動作、作用を説明する。
【００２６】
例えば設置工事の際など、加熱調理器１本体をテーブル天板などに組み込む前に仮置きした際、天板面１２と防塵フィルタ２が接触し、防塵フィルタ２が加熱調理器１本体の重量を負担する場合がある。そのような場合、小孔６が設けられた吸気面１０は加えられた荷重によって変形をし、発生する応力で破損する恐れがあるが、強度の弱い吸気面１０が天板面１２などに直接接触しないよう、支持体Ｂ１１を先に天板面１２に接触させることで、防塵フィルタ２の変形・破損を防止することができ、防塵性能を持続させ、耐久性に優れた加熱調理器を提供することができる。
【００２７】
（実施の形態３）
図５は、本発明の第３の実施の形態の加熱調理器の要部断面図、図６は、本発明の第３の実施の形態の加熱調理器における防塵フィルタの斜視図である。
【００２８】
なお、本実施の形態３の基本構成は実施の形態１と同様であるので、同様な部分の説明は省略し、相違点を中心に説明する。また、実施の形態１と同一要素には同じ符号を付してその説明を省略する。
【００２９】
図５、図６に示すように、本実施の形態においては、防塵フィルタ２は小孔６を有するメッシュ部１３と、メッシュ部１３を保持する保持部１４とに分離可能としている。
【００３０】
以上のように構成された加熱調理器について、以下その動作、作用を説明する。
【００３１】
小孔６を有し、吸気面となるメッシュ部１３は、塵埃を吸い込む環境で使用していると小孔６に埃がつまり、冷却ファン７による本体の冷却性能を損なう恐れがあるため、メッシュ部１３を清掃する必要がある。ここで、分離可能なメッシュ部１３とすることにより、メッシュ部１３のみ清掃することが可能となり、清掃性に優れメンテナンスが容易な加
熱調理器とすることができる。
【００３２】
また、メッシュ部１３に設けた支持体Ａ３が本体と当接するため、保持部１４と本体の外郭４によってメッシュ部１３が挟まれる形となり、メッシュ部１３のがたつき、たわみを防ぐことができ、外観品位に優れた加熱調理器とすることができる。
【００３３】
また、メッシュ部を分離可能とすることで、もし防塵フィルタ２のメッシュ部１３が破損するなど防塵性能が損なわれても、メッシュ部１３のみを交換する事で、防塵性能を取り戻すことができ、安価に保守することが可能な加熱調理器とすることができる。
【００３４】
また、メッシュ部１３を不織布など使い捨てが容易な材料で構成することで、清掃の手間・コストを低減することが可能となり、メンテナンス性に優れた加熱調理器とすることができる。
【００３５】
（実施の形態４）
図７は、本発明の第４の実施の形態の加熱調理器における防塵フィルタの斜視図、図８は、本発明の第４の実施の形態における加熱調理器の要部断面図である。
【００３６】
なお、本実施の形態４の基本構成は実施の形態１と同様であるので、同様な部分の説明は省略し、相違点を中心に説明する。
【００３７】
また、実施の形態１と同一要素には同じ符号を付してその説明を省略する。
【００３８】
図７に示すように、本実施の形態においては、防塵フィルタは複数の第１の小孔１５を配した第１の吸気面１６と、第１の吸気面１６と異なる方向に複数の第２の小孔１７を配した第２の吸気面１８を備え、第２の吸気面１８に設けた第２の小孔１７の開口面積の総和が第１の吸気面１６に設けた第１の小孔１５の開口面積以上となるようにしている。本実施の形態では、防塵フィルタは箱型とし、底面を第１の吸気面１６、側面を第２の吸気面１８としている。
【００３９】
以上のように構成された加熱調理器について、以下その動作、作用を説明する。
【００４０】
本実施の形態のような加熱調理器が飲食店の客席に設置された場合や、キッチンキャビネットに組み込まれた場合、吸気口５および防塵フィルタ２は使用者の目に入らないところに配されるため、フィルムのような遮蔽物１９が吸気面に吸い付けられても、使用者が気付かず、冷却ファンに７よる冷却性能が損なわれ、加熱調理器１の内部部品が劣化や損傷する恐れがある。
【００４１】
そのような場合、第１の吸気面１６が遮蔽物１９の吸い付きによって遮蔽されても、第２の吸気面１８から第１の吸気面１６から吸気する風量と同等以上の冷却風を吸気することで、第１の吸気面１６の遮蔽時であっても冷却性能を確保することができ、耐久性に優れた加熱調理器とすることができる。
【産業上の利用可能性】
【００４２】
以上のように、本発明にかかる加熱調理器は、防塵フィルタの強度を高め、耐久性の向上が可能となるので、その他の冷却ファンによる送風を必要とする電気機器などの防塵フィルタの用途にも適用できる。
【図面の簡単な説明】
【００４３】
【図１】本発明の実施の形態１における加熱調理器の要部断面図
【図２】本発明の実施の形態１における防塵フィルタの斜視図
【図３】本発明の実施の形態２における加熱調理器の要部断面図
【図４】本発明の実施の形態２における防塵フィルタの斜視図
【図５】本発明の実施の形態３における加熱調理器の要部断面図
【図６】本発明の実施の形態３における防塵フィルタの斜視図
【図７】本発明の実施の形態４における防塵フィルタの斜視図
【図８】本発明の実施の形態４における加熱調理器の要部断面図
【図９】従来の加熱調理器の要部断面図
【符号の説明】
【００４４】
１  加熱調理器（本体）
２  防塵フィルタ
３  支持体Ａ
４  本体の外郭
５  吸気口
６  小孔
７  冷却ファン
８  加熱装置
９  駆動装置
１０  吸気面
１１  支持体Ｂ
１２  天板面
１３  メッシュ部
１４  保持部
１５  第１の小孔
１６  第１の吸気面
１７  第２の小孔
１８  第２の吸気面
１９  遮蔽物
【図１】
0005239510.tif 000002
【図２】
0005239510.tif 000003
【図３】
0005239510.tif 000004
【図４】
0005239510.tif 000005
【図５】
0005239510.tif 000006
【図６】
0005239510.tif 000007
【図７】
0005239510.tif 000008
【図８】
0005239510.tif 000009
【図９】
0005239510.tif 000010